(57)【要約】【課題】架設ケーブルの揺れを抑制することにより、架設ケーブルの断線を抑制できるようにした架設ケーブルの揺れ抑制器具を提供すること。【解決手段】器具本体１０１内の中空部１０２にはコイルバネ１０７が配設され、器具本体１０１外側にはメッセンジャーワイヤ取付部１１０〜１１２、ケーブル取付部１１９及び環状部材１０９が設けられている。一端が幹線ケーブルに取り付けられたメッセンジャーワイヤの他端をメッセンジャーワイヤ取付部１１０〜１１２に捻って取り付けると共に、環状部材１０９を家の壁に取り付けることにより、強風によって幹線ケーブルが揺れようとしても、コイルバネ１０７の緩衝力によってメッセンジャーワイヤの張力変動が抑制され、幹線ケーブルの揺れが抑制される。【選択図】　図１
2004040959.tif 000002
【特許請求の範囲】
【請求項１】
中空の器具本体と、前記器具本体内に設けられた緩衝部材と、前記器具本体に一体的に設けられメッセンジャーワイヤを取り付けるためのメッセンジャーワイヤ取付部と、前記器具本体に一体的に設けられケーブルを取り付けるためのケーブル取付部と、前記緩衝部材に連結されると共に固定部位に取り付けられる固定部位取付部とを備え、前記メッセンジャーワイヤ取付部に取り付けられた前記メッセンジャーワイヤの張力の変動を前記緩衝部材によって抑制することを特徴とする架設ケーブルの揺れ抑制器具。
【請求項２】
前記ケーブル取付部は、第１の凹部を挟んで配設され、ケーブルを挟持するための第１、第２の爪部を備えて成り、前記第１の凹部に配設されたケーブルを前記第１、第２の爪部により挟持することによって前記ケーブルを保持することを特徴とする請求項１記載の架設ケーブルの揺れ抑制器具。
【請求項３】
前記ケーブル取付部は、前記第１の爪部の前記第１の凹部の反対側に第１の溝部をおいて設けられた第１の起立部と、前記第１の溝部の底部に形成された第１の光ファイバケーブル取付用凹部とを備えて成ることを特徴とする請求項２記載の架設ケーブルの揺れ抑制器具。
【請求項４】
前記ケーブル取付部は、前記第２の爪部の前記第１の凹部の反対側に第２の溝部をおいて設けられた第２の起立部と、前記第２の溝部の底部に形成された第２の光ファイバケーブル取付用凹部とを備えて成ることを特徴とする請求項３記載の架設ケーブルの揺れ抑制器具。
【請求項５】
前記緩衝部材は、付勢部材と、前記付勢部材によって付勢されると共に前記固定部位取付部に連結されたピン部材とを備えて成り、前記付勢部材の前記ピン部材に与える付勢力が前記メッセンジャーワイヤ取付部に取り付けられた前記メッセンジャーワイヤの張力の変動を抑制するように変化することを特徴とする請求項１乃至４のいずれか一に記載の架設ケーブルの揺れ抑制器具。
【請求項６】
前記付勢部材は、相互に逆向きに対向配設された１対のタケノコバネによって構成されて成ることを特徴とする請求項５記載の架設ケーブルの揺れ抑制器具。
【請求項７】
請求項１乃至６のいずれか一に記載の架設ケーブルの揺れ抑制器具と、
一端が幹線ケーブルに連結されると共に、他端が前記架設ケーブルの揺れ抑制器具のメッセンジャーワイヤ取付部に取り付けられたメッセンジャーワイヤと、
前記架設ケーブルの揺れ抑制器具のケーブル取付部に取り付けられた分岐ケーブルとを備えて成ることを特徴とする架設ケーブルシステム。
【発明の詳細な説明】
【０００１】
【発明の属する技術分野】
本発明は、ケーブルテレビ（ＣＡＴＶ）用同軸ケーブル等の空中架設ケーブルの揺れを抑制するための架設ケーブル揺れ抑制器具に関する。
【０００２】
【従来の技術】
従来から、ケーブルテレビ用同軸ケーブルや電力線等のケーブルが、空中に架設されている。
前記ケーブルには、大別して、幹線ケーブルと、前記幹線ケーブルからタップ等によって分岐した分岐ケーブルに分けられる。分岐ケーブルは、ケーブル分岐用器具を用いて、各家庭に引き込むように構成されている。
【０００３】
図１０、図１１は、前記ケーブル分岐用器具１１００の正面図、側面図である。図１０、図１１において、長方形状の板部材１１０１の前面にはメッセンジャーワイヤを捻って取り付けるための３つの突部１１０２〜１１０４が設けられている。また、ケーブル分岐用器具１１００は、板部材１１０１の一端に、針金によって形成された環状部材１１０５を備えている。
【０００４】
前記ケーブル分岐用器具１１００を使用して分岐ケーブルを保持する方法として、例えば、２つのケーブル分岐用器具１１００を使用する方法がある。
この場合、幹線ケーブルに取り付けられたアースクランプに、一方のケーブル分岐用器具１１００の環状部材１１０５を取り付けると共に、分岐ケーブルが取り付けられたメッセンジャーワイヤの一端を前記一方のケーブル分岐用器具１１００の突部１１０２〜１１０４に捻って取り付ける。
【０００５】
また、前記分岐ケーブルが取り付けられたメッセンジャーワイヤの他端を他方のケーブル分岐用器具１１００の突部１１０２〜１１０４に捻って取り付け、前記他方のケーブル分岐用器具の環状部材１１０５を、電柱や引き込む家の壁等の固定部位に取り付ける。
これにより、分岐ケーブルが１対のケーブル分岐用器具１１００、１１００によって保持されて、各家庭に引き込まれることになる。
【０００６】
【発明が解決しようとする課題】
しかしながら、メッセンジャーワイヤによる幹線ケーブルの固定部位への固定は、前述の如く、単にケーブル分岐用器具１１００を用いて行っているにすぎないため、風によって幹線ケーブルが大きく何回も揺れると、揺れ自身によって、あるいは、揺れによって近隣のケーブル同士がぶつかることによって、幹線ケーブルが断線してしまう恐れがあるという問題がある。特に、幹線ケーブルがケーブルテレビ用の同軸ケーブルで構成されている場合には、同軸ケーブルの心線が弱く、容易に断線してしまう恐れがあるという問題が顕著である。
【０００７】
この問題を解決する方法として、メッセンジャーワイヤの張力を強くすれば、前記張力に比例して、幹線ケーブルの揺れは小さくなる。しかしながら、風圧は、架設ケーブルだけでなく、電柱や壁等の固定部位や分岐ケーブルの分岐点等も受けるため、メッセンジャーワイヤの張力を限界点まで強くすると電柱等の揺れも加わって、決定的な断線事故が起きる恐れがあるという問題がある。
また、メッセンジャーワイヤの一端に重りを吊り下げることによって、メッセンジャーワイヤの張力の変動を抑制すれば、幹線ケーブルの揺れを抑制することは可能ではあるが、構成が大がかりになってしまうという問題がある。
【０００８】
本発明は、前記問題点に鑑み成されたもので、架設ケーブルの揺れを抑制することにより、架設ケーブルの断線を抑制できるようにした架設ケーブルの揺れ抑制器具を提供することを課題としている。
また、本発明は、前記問題点に鑑み成されたもので、架設ケーブルの揺れを抑制することにより、架設ケーブルの断線を抑制できるようにした架設ケーブルシステムを提供することを課題としている。
【０００９】
【課題を解決するための手段】
本発明によれば、中空の器具本体と、前記器具本体内に設けられた緩衝部材と、前記器具本体に一体的に設けられメッセンジャーワイヤを取り付けるためのメッセンジャーワイヤ取付部と、前記器具本体に一体的に設けられケーブルを取り付けるためのケーブル取付部と、前記緩衝部材に連結されると共に固定部位に取り付けられる固定部位取付部とを備え、前記メッセンジャーワイヤ取付部に取り付けられた前記メッセンジャーワイヤの張力の変動を前記緩衝部材によって抑制することを特徴とする架設ケーブルの揺れ抑制器具が提供される。メッセンジャーワイヤ取付部に取り付けられたメッセンジャーワイヤの張力の変動を緩衝部材によって抑制する。
【００１０】
ここで、前記ケーブル取付部は、第１の凹部を挟んで配設され、ケーブルを挟持するための第１、第２の爪部を備えて成り、前記第１の凹部に配設されたケーブルを前記第１、第２の爪部により挟持することによって前記ケーブルを保持するように構成してもよい。
また、前記ケーブル取付部は、前記第１の爪部の前記第１の凹部の反対側に第１の溝部をおいて設けられた第１の起立部と、前記第１の溝部の底部に形成された第１の光ファイバケーブル取付用凹部とを備えて成るように構成してもよい。
【００１１】
また、前記ケーブル取付部は、前記第２の爪部の前記第１の凹部の反対側に第２の溝部をおいて設けられた第２の起立部と、前記第２の溝部の底部に形成された第２の光ファイバケーブル取付用凹部とを備えて成るように構成してもよい。
また、前記緩衝部材は、付勢部材と、前記付勢部材によって付勢されると共に前記固定部位取付部に連結されたピン部材とを備えて成り、前記付勢部材の前記ピン部材に与える付勢力が前記メッセンジャーワイヤ取付部に取り付けられた前記メッセンジャーワイヤの張力の変動を抑制するように変化するように構成してもよい。
また、前記付勢部材は、相互に逆向きに対向配設された１対のタケノコバネによって構成してもよい。
【００１２】
また、本発明によれば、前記いずれかの架設ケーブルの揺れ抑制器具と、一端が幹線ケーブルに連結されると共に、他端が前記架設ケーブルの揺れ抑制器具のメッセンジャーワイヤ取付部に取り付けられたメッセンジャーワイヤと、前記架設ケーブルの揺れ抑制器具のケーブル取付部に取り付けられた分岐ケーブルとを備えて成ることを特徴とする架設ケーブルシステムが提供される。ケーブルの揺れ抑制器具によってメッセンジャーワイヤの張力変動を抑制することにより、強風による風圧等が生じた場合でも、前記メッセンジャーワイヤを用いて、幹線ケーブルにある一定範囲の張力を与えることが可能になり、幹線ケーブルの揺れを抑制できる。
【００１３】
【発明の実施の形態】
以下、本発明の実施の形態に係る架設ケーブルの揺れ抑制器具及び架設ケーブルシステムについて説明する。
図１は本発明の実施の形態に係る架設ケーブルの揺れ抑制器具の部分切り欠き正面図、図２は図１の左側面図である。
また、図３は器具本体１０１の平面図、図４〜図７は、各々、ケーブル取付部１１９の正面図、右側面図、図４におけるＡ−Ａ断面図、背面図である。
【００１４】
図１〜図７において、架設ケーブルの揺れ抑制器具１００は、器具本体１０１、器具本体１０１の一端に一体的に取り付けられたケーブル取付部材１１９、器具本体１０１の他端に移動可能に設けられた固定部位取付部としての環状部材１０９を有している。
器具本体１０１は、その内部に円柱状の中空部１０２を有している。器具本体１０１の中空部１０２には、付勢部材としてのコイルバネ１０７及びコイルバネ１０７に挿通されたピン部材１０５が配設されている。ピン部材１０５は、器具本体１０１内における一端に頭部１０６を有している。また、器具本体１０１の外部におけるピン部材１０５の他端には、器具本体１０１の抜け留め部材１０８によって環状部材１０９が取り付けられている。かかる構成により、ピン部材１０５は、コイルバネ１０７の付勢力に抗して器具本体１０１内を摺動可能になっている。尚、ピン部材１０５及びコイルバネ１０７は緩衝部材を構成している。
【００１５】
また、器具本体１０１には、その外部に、メッセンジャーワイヤを取り付けるためのメッセンジャーワイヤ取付部１１０〜１１２が器具本体１０１と一体的に設けられている。メッセンジャーワイヤ取付部１１０〜１１２は、各々、突起によって形成されている。メッセンジャーワイヤ取付部１１０は頭部１１３及び頭部１１３を器具本体１０１に一体的に連結する首部１１４を有しており、メッセンジャーワイヤ取付部１１１は頭部１１５及び頭部１１５を器具本体１０１に一体的に連結する首部１１６を有しており、又、メッセンジャーワイヤ取付部１１２は頭部１１７及び頭部１１７を器具本体１０１に一体的に連結する首部１１８を有している。首部１１４、１１８は、側断面が半楕円形状に形成されており、首部１１６は側断面が円形状に形成されている（図２参照）。
【００１６】
ケーブル取付部材１１９はネジ止め用の貫通孔３００及び位置決め用の突部１２０を有している。ケーブル取付部材１１９を器具本体１０１に取り付ける際には、位置決め用突部１２０を器具本体１０１の位置決め用凹部１０３に位置合わせすると共に、ケーブル取付部材１１９の貫通孔３００とネジ孔１０４を対向させ、貫通孔３００を介して器具本体１０１のネジ孔１０４にネジ１２１を螺合させる。これによって、ケーブル取付部１１９は、所定の位置関係を保った状態で、器具本体１０１に一体的に取り付けられる。
【００１７】
また、ケーブル取付部材１１９は、第１の凹部３０６を挟んで配設され分岐ケーブルを挟持するための第１の爪部３０１、第２の爪部３０２を有している。ケーブル取付部材１１９は、凹部３０６に配設されたケーブルを第１、第２の爪部３０１、３０２により挟持することによって前記ケーブルを保持する。
また、ケーブル取付部１１９には、爪部３０１を挟んで凹部３０６の反対側に、第１の溝部３０７をおいて第１の起立部１２２が設けられている。また、ケーブル取付部１１９には、爪部３０２を挟んで凹部３０６の反対側に、第２の溝部３０８をおいて第２の起立部３０３が設けられている。
【００１８】
溝部３０７の底部には光ファイバケーブルを保持するための第１の光ファイバケーブル取付用凹部３０４が設けられ、溝部３０８の底部には光ファイバケーブルを保持するための第２の光ファイバケーブル取付用凹部３０５が設けられている。
上記構成により、爪部３０１、３０２は弾性を有するように形成され、したがって、凹部３０６に配設されたケーブルを、複数の爪部３０１、３０２によって効果的に挟持することが可能になる。
【００１９】
尚、幹線ケーブルの揺れを抑制するため、ケーブルの揺れ抑制器具１００の環状部材１０９を家の壁や電柱等の固定部位に取り付けると共に、メッセンジャーワイヤ取付部１１０〜１１２にメッセンジャーワイヤを取り付ける場合には、コイルバネ１０７を所定量だけ圧縮した状態（例えば、コイルバネ１０７が、収縮可能な量の半分だけ収縮した状態）で取り付ける。即ち、コイルバネ１０７が伸張及び収縮可能な状態ように、コイルバネ１０７を所定量だけ圧縮した状態で取り付けることにより、メッセンジャーワイヤに所定量の張力を加えた状態で取り付ける。これによって、幹線ケーブルが風圧を受けていずれかの方向に揺れようとしても、コイルバネの伸張力によってメッセンジャーワイヤの張力変動が抑制されるため、その結果として、幹線ケーブルの揺れが抑制される。
【００２０】
図８は、本発明の実施の形態に係る架設ケーブルの揺れ抑制器具１００を使用した架設ケーブルシステムを示す図である。
図８において、ＣＡＴＶ用同軸ケーブルの幹線ケーブル８０１には、アースクランプ８０２が取り付けられている。アースクランプ８０２には、ケーブル分岐用器具１１００の環状部１１０５が取り付けられている。ケーブル分岐用器具１１００のメッセンジャーワイヤ取付部１１０２〜１１０４にはメッセンジャーワイヤ８０４の他方の端部が捻った状態で取り付けられている。
【００２１】
一方、ケーブルの揺れ抑制器具１００の環状部材１０９は、固定部位である家の壁８０６に固定されたフック８０５に取り付けられている。揺れ抑制器具１００のメッセンジャーワイヤ取付部１１０、１１１、１１２には、メッセンジャーワイヤ８０４の一方の端部が捻って取り付けられている。揺れ抑制器具１００のケーブル取付部１１９には、分岐ケーブルである同軸ケーブル８０３が１対の爪部３０１、３０２に挟持された状態で保持されている。分岐ケーブル８０３は、幹線ケーブル８０１からタップによって分岐したケーブルであり、各家庭に引き込まれるケーブルである。尚、この状態では、コイルバネ１０７は、壁８０６及び幹線ケーブル８０１に引っ張られて、収縮した状態になっている。
【００２２】
この状態で、幹線ケーブル８０１や分岐ケーブル８０３が風を受けると、幹線ケーブル８０１や分岐ケーブル８０３が揺れるような径方向の風圧を受けるが、ケーブルの揺れ抑制器具１００のコイルバネ１０７の緩衝力によって、メッセンジャーワイヤ８０４の張力変動が抑制され、その結果、幹線ケーブル８０１の揺れが抑制される。即ち、幹線ケーブル８０１が受けた径方向の風圧（揺れエネルギー）を、揺れ抑制器具１００のコイルバネ１０７が伸びることによって緩衝（吸収）させて相殺し、メッセンジャーワイヤ８０４の長さ方向の張力の変動を抑制する。
したがって、幹線ケーブル８０１や分岐ケーブル８０３が強風を受けた場合でも、幹線ケーブル８０１や分岐ケーブル８０３の揺れを抑制することが可能になり、強度的に弱い同軸ケーブルの場合にも心線の断線を抑制することが可能になる。
【００２３】
尚、前記実施の形態では、付勢部材としてコイルバネ１０７を使用したが、付勢部材としてタケノコバネを使用することも可能である。この場合、単一のタケノコバネを使用することも可能であるが、図９に示すように、複数（本実施の形態では２個）のタケノコバネを使用することも可能である。即ち、図９において、１対のタケノコバネ９０１、９０２は、相互に逆向きに配設されると共に、器具本体１０１の中空部１０２内に配設される。タケノコバネ９０１、９０２間には、タケノコバネ９０１、９０２相互間の位置ずれの発生を防止するために、板部材９０３が配設されている。
【００２４】
タケノコバネ９０１の大径部９０５とタケノコバネ９０２の大径部９０７は板部材９０３を挟んで対面しており、タケノコバネ９０１の小径部９０４とタケノコバネ９０２の小径部９０６は離間した位置にある。
上記構成の１対のタケノコバネを使用することにより、ストロークを大きくとることが可能になるので、バネ自体が占める空間容積のわりに大きな加重を得ることができ又、タケノコバネを構成する板材間の摩擦を振動の吸収に利用することも可能である。
【００２５】
以上述べたように本実施の形態に係る架設ケーブルの揺れ抑制器具１００は、中空の器具本体１０１と、器具本体１０１内に設けられた緩衝部材（コイルバネ１０７及びピン部材１０５）と、器具本体１０１に一体的に設けられメッセンジャーワイヤ８０４を取り付けるためのメッセンジャーワイヤ取付部１１０、１１１、１１２と、器具本体１０１に一体的に設けられ分岐ケーブル８０３を取り付けるためのケーブル取付部１１９と、前記緩衝部材に連結されると共に固定された部位に取り付けられる環状部材１０９とを備え、メッセンジャーワイヤ８０４の張力変動を前記緩衝部材によって抑制することを特徴としている。
【００２６】
したがって、風圧によって幹線ケーブル８０１に揺れが生じようとした場合、メッセンジャーワイヤ８０４の張力が変動しようとするが、前記緩衝部材によって、メッセンジャーワイヤ８０４の張力変動を小さくするように制御される。即ち、緩衝部材を構成する付勢部材１０７が、幹線ケーブル８０１が揺れる方向に応じて伸び又は縮む。前記付勢部材１０７の伸び又は縮みによって、幹線ケーブル８０１の揺れを小さく抑える力（反力）がメッセンジャーワイヤ８０４に伝えられ、幹線ケーブル８０１の揺れが小さく抑制される。
また、メッセンジャーワイヤの一端に重りを吊り下げる必要はないため、簡単な構成によって実現することが可能である。
【００２７】
ここで、ケーブル取付部１１９は、第１の凹部３０６を挟んで配設され、分岐ケーブル８０３を挟持するための弾性を有する第１、第２の爪部３０１、３０２を備えて成り、第１の凹部３０６に配設された分岐ケーブル８０３を第１、第２の爪部３０１、３０２により挟持することによって分岐ケーブル８０３を保持するようにしている。したがって、構成が簡単であり又、第１、第２の爪部の弾性力によって分岐ケーブルが確実に保持される。
また、ケーブル取付部１１９は、第１の爪部３０１の第１の凹部３０６の反対側に第１の溝部３０７をおいて設けられた第１の起立部１２２と、第１の溝部３０７の底部に形成された第１の光ファイバケーブル取付用凹部３０４とを備えいる。したがって、同軸ケーブルのみ成らず、光ファイバケーブルの取り付け保持にも適用可能になる。
【００２８】
また、ケーブル取付部１１９は、第２の爪部３０２の第１の凹部３０６の反対側に第２の溝部３０８をおいて設けられた第２の起立部３０３と、第２の溝部３０８の底部に形成された第２の光ファイバケーブル取付用凹部３０５とを備えている。したがって、第１、第２の爪部の弾性力によって分岐ケーブルが確実に保持される。
また、緩衝部材は、付勢部材１０７と、付勢部材１０７によって所定方向に付勢されると共に固定部位取付部１０９に連結されたピン部材１０５とを備えており、構成が簡単である。
また、付勢部材は、相互に逆向きに対向配設された１対のタケノコバネ９０１、９０２によって構成することにより、緩衝部材のストローク、具体的には、ピン部材１０５のストロークを大きくできるため、揺れの抑制効果がより大となる。
【００２９】
また、前記架設ケーブルの揺れ抑制器具１００を使用して、一端が幹線ケーブル８０１に連結されると共に、他端が架設ケーブルの揺れ抑制器具１００のメッセンジャーワイヤ取付部１１０〜１１２に取り付けられたメッセンジャーワイヤ８０４と、架設ケーブルの揺れ抑制器具１００のケーブル取付部１１９に取り付けられた分岐ケーブル８０３とを備えて成ることを特徴とする架設ケーブルシステムを構築することが可能になる。
尚、本実施の形態では、ケーブルの例としてＣＡＴＶ用同軸ケーブルの例で説明したが、電力線等、他のケーブルにも適用することが可能である。
【００３０】
【発明の効果】
本発明の架設ケーブルの揺れ抑制器具によれば、架設ケーブルの揺れを抑制することにより、架設ケーブルの断線を抑制することが可能になる。
本発明の架設ケーブルシステムによれば、架設ケーブルの揺れを抑制することにより、架設ケーブルの断線を抑制することが可能になる。
【図面の簡単な説明】
【図１】本発明の実施の形態に係る架設ケーブルの揺れ抑制器具の部分切り欠き正面図である。
【図２】本発明の実施の形態に係る架設ケーブルの揺れ抑制器具の左側面図である。
【図３】本発明の実施の形態に係る架設ケーブルの揺れ抑制器具に使用する器具本体の平面図である。
【図４】本発明の実施の形態に係る架設ケーブルの揺れ抑制器具に使用するケーブル取付部の正面図である。
【図５】本発明の実施の形態に係る架設ケーブルの揺れ抑制器具に使用するケーブル取付部の右側面図である。
【図６】本発明の実施の形態に係る架設ケーブルの揺れ抑制器具に使用するケーブル取付部のＡ−Ａ断面図である。
【図７】本発明の実施の形態に係る架設ケーブルの揺れ抑制器具に使用するケーブル取付部の背面図である。
【図８】本発明の実施の形態に係る架設ケーブルシステムを示す図である。
【図９】本発明の他の実施の形態に係る架設ケーブルの揺れ抑制器具に使用するタケノコバネの正面図である。
【図１０】従来のケーブル分岐用器具の正面図である。
【図１１】従来のケーブル分岐用器具の側面図である。
【符号の説明】
１００・・・架設ケーブルの揺れ抑制器具
１０１・・・器具本体
１０２・・・中空部
１０３・・・位置合わせ用凹部
１０４・・・ネジ孔
１０５・・・緩衝部材を構成するピン部材
１０６・・・頭部
１０７・・・緩衝部材を構成する付勢部材としてのコイルバネ
１０８・・・抜け留め部材
１０９・・・固定部位取付部としての環状部材
１１０、１１１、１１２・・・メッセンジャーワイヤ取付部
１１３、１１５、１１７・・・頭部
１１４、１１６、１１８・・・首部
１１９・・・ケーブル取付部
１２０・・・位置合わせ用突部
１２１・・・ネジ
１２２・・・第１の起立部
３００・・・貫通孔
３０１・・・第１の爪部
３０２・・・第２の爪部
３０３・・・第２の起立部
３０４・・・第１の光ファイバケーブル取付用凹部
３０５・・・第２の光ファイバケーブル取付用凹部
３０６・・・第１の凹部
３０７・・・第１の溝部
３０８・・・第２の溝部
８０１・・・幹線ケーブル
８０２・・・アースクランプ
８０３・・・分岐ケーブル
８０４・・・メッセンジャーワイヤ
８０５・・・フック
８０６・・・固定部位としての壁
９０１、９０２・・・緩衝部材を構成する付勢部材としてのタケノコバネ
９０３・・・板部材
１１００・・・ケーブル分岐用器具
１１０１・・・板部材
１１０２〜１１０４・・・突部
【図１】
2004040959.tif 000003
【図２】
2004040959.tif 000004
【図３】
2004040959.tif 000005
【図４】
2004040959.tif 000006
【図５】
2004040959.tif 000007
【図６】
2004040959.tif 000008
【図７】
2004040959.tif 000009
【図８】
2004040959.tif 000010
【図９】
2004040959.tif 000011
【図１０】
2004040959.tif 000012
【図１１】
2004040959.tif 000013